(57)【特許請求の範囲】
【請求項１】
両最外辺に位置する１対の第１の部分底構造体と、前記第１の部分底構造体と組み立てられ、１対の前記第１の部分底構造体の間に位置する少なくとも１つの第２の部分底構造体とを含む底構造体と、前記１対の第１の部分底構造体と組み立てられる１対の側壁構造体とを含み、
前記側壁構造体は、水平構造体と、前記水平構造体と一体に形成される壁構造体と、前記壁構造体の端面と前記壁構造体の端面に向かい合う前記水平構造体の端面との間に形成される補強用リブとを含み、前記補強用リブは、結合孔を有する１つ以上の溝部をさらに含み、
更に、前記第１の部分底構造体は、前記第１の部分底構造体の上端面と下端面とを貫通する１つ以上の結合孔を含み、
前記側壁構造体の結合孔が、前記第１の部分底構造体の結合孔上に位置するように構成したことを特徴とする組立式水路管。
【請求項２】
前記第１の部分底構造体と前記第２の部分底構造体とが互いに接する部分には、互いに嵌合する凸凹部が形成されていることを特徴とする請求項１記載の組立式水路管。
【請求項３】
前記第１の部分底構造体は、前記第１の部分底構造体の上端面に長手方向に沿って形成される帯状の結合溝と、前記第１の部分底構造体の一端部に形成される階段型の安置部とをさらに含むことを特徴とする請求項２記載の組立式水路管。
【請求項４】
前記第２の部分底構造体は、前記第２の部分底構造体の一端部に形成される階段型の安置部をさらに含んでいることを特徴とする請求項３記載の組立式水路管。
【請求項５】
前記壁構造体の両端部には、交互に形成される階段部をさらに含むことを特徴とする請求項１〜４のいずれかに記載の組立式水路管。
【請求項６】
前記壁構造体は、植生部をさらに含んでいることを特徴とする請求項１〜５の何れかに記載の組立式水路管。
【請求項７】
前記第１の部分底構造体及び前記第２の部分底構造体には、ワイヤを貫通させる１つ以上の連結孔が形成されていることを特徴とする請求項１〜６の何れかに記載の組立式水路管。
【請求項８】
前記第２の部分底構造体には複数の突起部が形成されていることを特徴とする請求項１〜７の何れかに記載の組立式水路管。
【請求項９】
前記第２の部分底構造体には複数の有孔部が形成されていることを特徴とする請求項１〜８の何れかに記載の組立式水路管。
【請求項１０】
両最外辺に位置する１対の第１の部分底構造体と、前記第１の部分底構造体と組み立てられ、一対の前記第１の部分底構造体の間に位置し、有孔部を保有する少なくとも１つの第２の部分底構造体とを含む底構造体と、前記１対の第１の部分底構造体と組み立てられ、帯状の排水口を備えた植生部を保有する１対の側壁構造体とを含み、
前記側壁構造体は、水平構造体と、前記水平構造体と一体に形成される壁構造体と、前記壁構造体の端面と前記壁構造体の端面に向かい合う前記水平構造体の端面との間に形成される補強用リブとを含み、前記補強用リブは、結合孔を有する１つ以上の溝部をさらに含み、
更に、前記第１の部分底構造体は、前記第１の部分底構造体の上端面と下端面とを貫通する１つ以上の結合孔を含み、
前記側壁構造体の結合孔が、前記第１の部分底構造体の結合孔上に位置するように構成したことを特徴とする組立式水路管。
【請求項１１】
前記第１の部分底構造体と前記第２の部分底構造体とが互いに接する部分には、互いに嵌合する凸凹部が形成されていることを特徴とする請求項１０記載の組立式水路管。
【請求項１２】
前記第１の部分底構造体は、前記第１の部分底構造体の上端面に長手方向に沿って形成される帯状の結合溝と、前記第１の部分底構造体の一端部に形成される階段型の安置部とをさらに含んでいることを特徴とする請求項１１記載の組立式水路管。
【請求項１３】
前記第２の部分底構造体は、前記第２の部分底構造体の一端部に形成される階段型の安置部をさらに含んでいることを特徴とする請求項１２記載の組立式水路管。
【請求項１４】
前記壁構造体の両端部には、交互に形成される階段部をさらに含むことを特徴とする請求項１０〜１３のいずれかに記載の組立式水路管。
【請求項１５】
前記第１の部分底構造体及び前記第２の部分底構造体には、ワイヤを貫通させる１つ以上の連結孔が形成されていることを特徴とする請求項１０〜１４の何れかに記載の組立式水路管。
【請求項１６】
前記第２の部分底構造体には突起部がさらに形成されていることを特徴とする請求項１０〜１５の何れかに記載の組立式水路管。
【発明の詳細な説明】
【０００１】
【発明の属する技術分野】
本発明は水路管に係り、さらに詳しくは小型乃至大型の水路管の製作、運搬、及び施工が容易であり、施工現場の条件に応じて多様に適用できる組立式水路管に関する。
【０００２】
【従来の技術】
従来にも多様な形態のコンクリート水路管が提供されていた。このように提供されてきた水路管は施工現場により小型から大型に至るまで、そのサイズが多様で且つ形状も様々である。従来の水路管は通常定型の型枠（即ち、モールド）により製作され、完成済みの水路管は施工現場にそれぞれ運ばれ、その後互いに連設されて人工水路（ｃｈａｎｎｅｌ）を形成する。
【０００３】
ところが、従来の水路管はその製作工程から施工工程に至るまで、幅広い問題点を抱えていた。即ち、施工工程において、前述したように水路管はその水路管を成形する型枠により製作されるが、従来の型枠は一般的に完成品の水路管を成形するように製作されるため、その製作に不具合があった。
【０００４】
また、運送工程において、施工現場に運ばれる水路管のサイズが大きい場合は、１つの運送手段、例えば、トラックで一遍に大量の水路管を運搬できないので、多くの運送手段を保有するか、或いは水路管製作所と施工現場を頻繁に往来しなければならなかった。従って、物流費が増加した。
【０００５】
最後に施工工程において、サイズが大きな水路管を施工するためにはそれに適した建設機械を備えなければならなかった。しかし、このような建設機械は施工現場の周辺条件により作業の制約を多く受けるほか、特に大サイズのそれぞれの水路管を用いて水路を形成する場合、精密に継ぎ合わせるのが大変なので、施工が難しく且つ構造的な安定性も弱いという問題点があった。
【０００６】
【発明が解決しようとする課題】
従って、本発明はかかる問題点を解決するために案出されたもので、本発明の目的は組立可能な小型乃至大型の水路管を提供することにより、製作、運搬そして施工が便利な水路管を提供することにある。
【０００７】
本発明の別の目的は施工現場の条件に応じて多様に適用できる水路管を提供することにある。
【０００８】
本発明のさらに別の目的は破損部分の補修などのような管理が便利な水路管を提供することにある。
【０００９】
本発明のさらに別の目的は自然に親しむ水路管を提供することにある。
【００１０】
本発明のさらに別の目的は構造的安定性に優れた水路を施工することができる水路管を提供することにある。
【００１１】
本発明のさらに別の目的は製作、運搬、そして施工で発生するコスト及び破損による補修などの管理コストを低減できる水路管を提供することにある。
【００１２】
【課題を解決するための手段】
前記目的を達成するために、本発明の組立式水路管は組立可能な形態として提供される。
【００１３】
本発明の第１態様による組立式水路管は、両最外辺に位置する１対の第１の部分底構造体と、前記第１の部分底構造体と組み立てられ、１対の前記第１の部分底構造体の間に位置する少なくとも１つの第２の部分底構造体とを含む底構造体と、前記１対の第１の部分底構造体と組み立てられる１対の側壁構造体とを含み、
前記側壁構造体は、水平構造体と、前記水平構造体と一体に形成される壁構造体と、前記壁構造体の端面と前記壁構造体の端面に向かい合う前記水平構造体の端面との間に形成される補強用リブとを含み、前記補強用リブは、結合孔を有する１つ以上の溝部をさらに含み、
更に、前記第１の部分底構造体は、前記第１の部分底構造体の上端面と下端面とを貫通する１つ以上の結合孔を含み、
前記側壁構造体の結合孔が、前記第１の部分底構造体の結合孔上に位置するように構成したことを特徴とする。
【００１４】
本発明の第１態様による組立式水路管において、前記第１の部分底構造体と前記第２の部分底構造体とが互いに接する部分には、互いに嵌合する凸凹部が形成されていることを特徴とする。
【００１５】
本発明の第１態様による組立式水路管において、前記第１の部分底構造体は、前記第１の部分底構造体の上端面に長手方向に沿って形成される帯状の結合溝と、前記第１の部分底構造体の一端部に形成される階段型の安置部とをさらに含むことを特徴とする。
【００１６】
本発明の第１態様による組立式水路管において、前記第２の部分底構造体は、前記第２の部分底構造体の一端部に形成される階段型の安置部をさらに含んでいることを特徴とする。
【００１７】
本発明の第１態様による組立式水路管において、前記壁構造体の両端部には、交互に形成される階段部をさらに含むことを特徴とする。
【００１８】
【００１９】
本発明の第１態様による組立式水路管において、前記壁構造体は、植生部をさらに含んでいることを特徴とする。
【００２０】
本発明の第１態様による組立式水路管において、前記第１の部分底構造体及び前記第２の部分底構造体には、ワイヤを貫通させる１つ以上の連結孔が形成されていることを特徴とする。
【００２１】
本発明の第１態様による組立式水路管において、前記第２の部分底構造体には複数の突起部が形成されていることを特徴とする。
【００２２】
本発明の第１態様による組立式水路管において、前記第２の部分底構造体には複数の有孔部が形成されていることを特徴とする。
【００２３】
本発明の第２態様による組立式水路管は、両最外辺に位置する１対の第１の部分底構造体と、前記第１の部分底構造体と組み立てられ、一対の前記第１の部分底構造体の間に位置し、有孔部を保有する少なくとも１つの第２の部分底構造体とを含む底構造体と、前記１対の第１の部分底構造体と組み立てられ、帯状の排水口を備えた植生部を保有する１対の側壁構造体とを含み、
前記側壁構造体は、水平構造体と、前記水平構造体と一体に形成される壁構造体と、前記壁構造体の端面と前記壁構造体の端面に向かい合う前記水平構造体の端面との間に形成される補強用リブとを含み、前記補強用リブは、結合孔を有する１つ以上の溝部をさらに含み、
更に、前記第１の部分底構造体は、前記第１の部分底構造体の上端面と下端面とを貫通する１つ以上の結合孔を含み、
前記側壁構造体の結合孔が、前記第１の部分底構造体の結合孔上に位置するように構成したことを特徴とする。
【００２４】
本発明の第２態様による組立式水路管において、前記第１の部分底構造体と前記第２の部分底構造体とが互いに接する部分には、互いに嵌合する凸凹部が形成されていることを特徴とする。
【００２５】
本発明の第２態様による組立式水路管において、前記第１の部分底構造体は、前記第１の部分底構造体の上端面に長手方向に沿って形成される帯状の結合溝と、前記第１の部分底構造体の一端部に形成される階段型の安置部とをさらに含んでいることを特徴とする。
【００２６】
本発明の第２態様による組立式水路管において、前記第２の部分底構造体は、前記第２の部分底構造体の一端部に形成される階段型の安置部をさらに含んでいることを特徴とする。
【００２７】
本発明の第２態様による組立式水路管において、前記壁構造体の両端部には、交互に形成される階段部をさらに含むことを特徴とする。
【００２８】
【００２９】
本発明の第２態様による組立式水路管において、前記第１の部分底構造体及び前記第２の部分底構造体には、ワイヤを貫通させる１つ以上の連結孔が形成されていることを特徴とする。
【００３０】
本発明の第２態様による組立式水路管において、前記第２の部分底構造体には突起部がさらに形成されていることを特徴とする。
【００３１】
【発明の実施の形態】
以下、本発明の好適な実施例を添付図を参照して詳細に説明する。全図面において同一部分には同一符号を付している。
【００３２】
図１は本発明の第１実施例に係る水路管を示す斜視図であり、図２はＡ−Ａ線断面図であり、図３は本発明の第１実施例の水路管を構成する底構造体のうち第１部分底構造体の一部切欠斜視図であり、図４は底構造体のうち第２部分底構造体の斜視図であり、図５は底構造体のうち第３部分底構造体の一部切欠斜視図であり、図６は本発明の第１実施例の水路管を構成する１つの側壁構造体の斜視図であり、図７はそれぞれの第１実施例の水路管の連設状態を示す斜視図である。
【００３３】
図１及び図２に示すように、本発明の第１実施例に係る水路管（以下、「第１水路管」という）１は底構造体１０と１対の側壁構造体５０ａ，５０ｂとを含み、第１水路管１は底構造体１０と側壁構造体５０ａ，５０ｂとの組立により完成する。ここで、第１水路管１の底構造体１０は図３乃至図５に示すように分割されたそれぞれの底構造体１０ａ乃至１０ｃの組立により完成する。
【００３４】
詳細に説明すると、図３の第１部分底構造体１０ａは、一端が階段型になっている安置部１１ａと、第１部分底構造体１０ａの上端面に長手方向（即ち、縦軸方向）に沿って形成された帯状の結合溝１３ａと、結合溝１３ａの外側隣接部分にあり、第１部分底構造体１０ａの上端面と下端面を貫通する１対の結合孔１５ａ，１５ｂとを備え、さらに第１部分底構造体１０ａはその長手方向に沿って右側端面に形成された帯状の連結溝１７ａを含み、特に第１底構造体１０ａは左側端面と右側端面を横軸方向に沿って貫通する１対の連結孔１９ａ，１９ｂ（１９ｂは図示せず）をさらに含み、前記連結孔１９ａ，１９ｂは連結溝１７ａの内部に位置し貫通している。
【００３５】
図４の第２部分底構造体１０ｂは、第１部分底構造体１０ａと同様に一端が階段型になっている安置部１１ｂと、帯状の結合溝１３ｂと、帯状の結合溝１３ｂと隣接する１対の結合孔１５ｃ，１５ｄとを備える。しかし、第２部分底構造体１０ｂは左側端面に長手方向に沿って形成された連結突出部２１ａを含み、前記連結突出部２１ａは前述した連結溝１７ａに嵌合できるサイズとする。第２部分底構造体１０ｂは第１部分底構造体１０ａと同様に横軸方向に沿った１対の連結孔１９ｃ，１９ｄをさらに含み、前記連結孔１９ｃ，１９ｄは連結突出部２１ａを貫通したほうが好ましい。
【００３６】
図５の第３部分底構造体１０ｃは、一端が階段型になっている安置部１１ｃを備えると共に、第１部分底構造体１０ａと同様な連結溝１７ｂと第２部分底構造体１０ｂと同様な連結突出部２１ｂとをさらに備える。ここで、連結溝１７ｂは右側端面に、連結突出部２１ｂは左側端面にそれぞれ形成され、第１及び第２部分底構造体１０ａ，１０ｂと同様に横軸方向に沿った１対の連結孔１９ｅ，１９ｆ（１９ｆは図示せず）を含む。
【００３７】
一方、テンションワイヤ２３ａ，２３ｂは前述したそれぞれの連結孔１９ａ〜１９ｆを通過するもので（図１参照）、前記ワイヤ２３ａ，２３ｂとしては高強度のＰＣ鋼燃線が好ましく、しかもその上ワイヤ２３ａ，２３ｂは前述した第１乃至第３部分底構造体１０ａ〜１０ｃの組立により完成した底構造体１０の組立安定性に役に立つ。即ち、地盤沈下などの外圧のため生じる、組み立てられた各部分底構造体１０ａ〜１０ｃの変形及び離脱などを抑制する。
【００３８】
本発明の底構造体１０はかかる第１乃至第３部分底構造体１０ａ〜１０ｃの組立により完成し、図１及び図２を参照してこれについて説明すると次のようである。
【００３９】
まず、ワイヤ２３ａ，２３ｂを第１部分底構造体１０ａのそれぞれの連結孔１９ａ，１９ｂに貫通させ、その貫通したそれぞれのワイヤ２３ａ，２３ｂをさらに第３部分底構造体１０ｃのそれぞれの連結孔１９ｅ，１９ｆに貫通させる。このようにワイヤ２３ａ，２３ｂが貫通した第３部分底構造体１０ｃは、その連結突出部２１ｂが第１部分底構造体１０ａの連結溝１７ａに嵌合されると共に、第１部分底構造体１０ａに連設される。また、上記と同一方法で第２部分底構造体１０ｂは、第３部分底構造体１０ｃを貫通したそれぞれのワイヤ２３ａ，２３ｂが連結孔１９ｃ，１９ｄを貫通したまま、連結突出部２１ａが第３部分底構造体１０ｃの連結溝１７ｂに嵌合される共に、第３部分底構造体１０ｃに連設される。最後に、第１乃至第３部分底構造体１０ａ〜１０ｃの連結孔１９ａ〜１９ｆを貫通したワイヤ２３ａ，２３ｂを引っ張り出して固定することで、底構造体１０が完成する。
【００４０】
上記の組立過程において、第１及び第２部分底構造体１０ａ，１０ｂは底構造体１０の両最外辺に位置し、そして第３部分底構造体１０ｃは第１及び第２部分底構造体１０ａ，１０ｂの間に位置することがわかる。これは第３部分底構造体１０ｃの連設数により前記底構造体１０の幅が調整できることを意味する。
【００４１】
そして、第１乃至第３部分底構造体１０ａ〜１０ｃにおいて、連結溝１７ａ，１７ｂと連結突出部２１ａ，２１ｂの形成位置及びその個数と、結合孔１５ａ〜１５ｄと連結孔１９ａ〜１９ｆの個数とは図１〜図５に示すように限定されるものではなく、一例を例示したものである。即ち、底構造体１０の最外辺を形成する部分底構造体１０ａ，１０ｂのいずれかの部分底構造体（１０ａまたは１０ｂ）に選択的に連結溝１７ａ，１７ｂまたは連結突出部２１ａ，２１ｂが形成されると、それに連設される部分底構造体１０ｃと他の部分底構造体（１０ａまたは１０ｂ）とがまた互いに連設できるように、選択的に連結溝１７ａ，１７ｂまたは連結突出部２１ａ，２１ｂが形成されることになる。この際、その形成個数も必要に応じて増減することができるのみならず、結合孔１５ａ〜１５ｄと連結孔１９ａ〜１９ｆの個数も必要に応じて増減することができる。
【００４２】
以下、前記のように組み立てられた底構造体１０と締結される側壁構造体５０ａ，５０ｂを説明し、特にそれぞれの側壁構造体５０ａ，５０ｂは互いに対称構造であるので、１つの側壁構造体５０ａのみを説明する。
【００４３】
図６に示すように、側壁構造体５０ａはＬ字形の構造で壁構造体５１と水平構造体５３とに分けられる。側壁構造体５０ａはその構造的安定性のために、壁構造体５１の端面（即ち、右側端面）と、それと互い合う水平構造体５３の端面（即ち、上端面：図面上には点線で示される）との間に形成された補強用リブ５５を含んでおり、さらに前記壁構造体５１は水平構造体５３に対して垂直になっている。
【００４４】
壁構造体５１の両端部５９ａ，５９ｂはそれぞれ階段部６０ａ，６０ｂになっており、前記第１及び第２階段部６０ａ，６０ｂは交互に形成されるので、互いに重なることができる。さらに前記リブ５５は複数の溝部６３ａ，６３ｂを含み、それぞれの溝部６３ａ，６３ｂは水平構造体５３を貫通する結合孔６５ａ，６５ｂを含む。前記結合孔６５ａ，６５ｂを含む溝部６３ａ，６３ｂの個数は結合溝１３ａまたは１３ｂに隣接した結合孔（１５ａ，１５ｂ）または（１５ｃ，１５ｂ）の個数と同一にしたほうが望ましい。
【００４５】
水平構造体５３の下端面には側壁構造体５０ａの長手方向に沿って帯状の結合突出部６７が突出され、前記結合突出部６７は結合溝１３ｂと結合される（図２参照）。参照符号６９は側壁構造体５０ａを運搬及び移動させるための運搬用リングである。
【００４６】
一方、リブ５５に形成された結合孔６５ａ，６５ｂを含む溝部６３ａ，６３ｂの個数と結合突出部６７の個数とは、図１，図２及び図６に示すように限定されるものではなく、一例を例示したものであって、その個数は必要に応じて増減することができる。
【００４７】
前記構造の底構造体１０と側壁構造体５０ａ，５０ｂとの組立により本発明の第１水路管が完成し、その組立過程は次のようである。
【００４８】
再び図１及び図２を参照すると、底構造体１０の上端面には１つの側壁構造体５０ａが先に適切に位置合わせされる。この際、同図に示すように、底構造体１０が含む結合溝１３ｂには側壁構造体５０ａの結合突出部６７が結合され、底構造体１０の結合孔１５ｃ，１５ｄの上側には側壁構造体５０ａの結合孔６５ａ，６５ｂが位置する。
【００４９】
その後、側壁構造体５０ａの結合孔６５ａ，６５ｂと底構造体１０の結合孔１５ｃ，１５ｄとにはボルト７０を挿入し、最後に底構造体１０の下端面に突き出たボルト７０の一部分にワッシャー（図示せず）とナット８０を強固に締結して、第１側壁構造体５０ａを底構造体１０に組み立てる。前記と同一の方法で他の側壁構造体５０ｂを底構造体１０に組み立てることにより、第１水路管１が完成する。これとは異なり、それぞれの側壁構造体５０ａ，５０ｂの結合突出部６７を同時に底構造体１０の結合溝１３ａ，１３ｂに結合し、組み立てて第１水路管１を完成することもできる。特に、同図に示すように、地盤沈下などの外圧に備え、水路管１の支持力、即ち構造的安定性を図るために、底構造体１０を貫通しているワイヤ２３ａ，２３ｂを伸ばして側壁構造体５０ａ，５０ｂに連結することもできる。
【００５０】
図７はそれぞれの第１水路管の連設状態を示す図であって、まず、組み立てられた水路管１の底構造体１０の安置部１１には、安置部１１’が形成されていない、他の水路管１’の底構造体１０’の端部が安置される。
【００５１】
その後、水路管１’の側壁構造体５０ａ’，５０ｂ’はこれに形成された第１階段部６０ａ’，６０ａ’が側壁構造体５０ａ，５０ｂの第２階段部６０ｂ，６０ｂと重なりながら底構造体１０の上端面に安置され、このような状態で底構造体１０’と側壁構造体５０ａ’，５０ｂ’は、前述した底構造体１０と側壁構造体５０ａ，５０ｂと同一の組立方法により組み立てられる。これと同一の方法で複数の第１水路管１を連設すると水路（ｃｈａｎｎｅｌ）が完成する。
【００５２】
ここで、それぞれの底構造体が連設される際、それぞれの安置部の間には所定の空間部、例えば、水路管１の安置部１１と水路管１’の安置部１１’との間の空間部（図５参照）が形成され、この空間部はボルトとナットを締結する空間として活用される。特に底構造体の結合溝及びそれと結合する側壁構造体の結合突出部と、側壁構造体の第１及び第２階段部とは、側壁構造体に伝われる側圧から底構造体に対する側壁構造体の組立安定性を保つ役割を担う。
【００５３】
図８及び図９は第３部分底構造体１０ｃの変形例１０ｃ’，１０ｃ”をそれぞれ示す図であって、図８は底構造体１０ｃの上端面に複数の突起部９１が形成されることを、図９は底構造体１０ｃの上端面に複数の有孔部９３が形成されることをそれぞれ示している。突起部９１は各種魚貝類などの生息地、特に流速が速い場合、魚貝類などの避難所及び移動路として提供される一方、有孔部９３は水生植物（例えば、水草）などが自生できる場所として活用される。有孔部９３内には水生植物の根が位置する。このように、底構造体１０ｃ”で水生植物が自生する場合は、自然に各種魚貝類などが集まってくるので、生態系保護に大いに役に立つ。一方、図に示してはいないが、結合孔１５ａ〜１５ｄ及び結合溝１３ａ，１３ｂが形成された部分を除いた第１及び第２部分底構造体１０ａ，１０ｂの上端面にも突起部９１または有孔部９３を形成することができ、特に突起部９１と有孔部９３を同時に部分底構造体１０ａ〜１０ｃの上端面に形成することもできる。
【００５４】
前述したようにそれぞれの変形第３部分底構造体１０ｃ’，１０ｃ”の構造は突起部９１及び有孔部９３を除いては図５に示すように底構造体１０ｃの構造と同一なので、これを用いて新しい変形底構造体（図示せず）を完成させることができ、さらに前記変形底構造体は側壁構造体５０ａ，５０ｂと組み立て、新しい変形第１水路管（図示せず）を完成させることもできる。前記変形第１水路管の組立方法は第１水路管１の組立方法と同一であり、それぞれの変形水路管の連設方法もそれぞれの第１水路管（例えば、水路管１に水路管１’を連設する方法）の連設方法と同一である。
【００５５】
図１０は本発明の第２実施例に係る水路管を示す斜視図であり、図１１は図１０のＢ−Ｂ線断面図であり、図１２は本発明の第２実施例の水路管を構成する１つの側壁構造体の斜視図であり、図１３は本発明のそれぞれの第２実施例の水路管の連設状態を示す斜視図である。
【００５６】
図１０及び図１１に示すように、本発明の第２実施例の水路管（以下、「第２水路管」という）１００の構造は前述した第１水路管１の構造とほぼ同一である。ただし、第２水路管１００の側壁構造体１５０ａ，１５０ｂと第１水路管１の側壁構造体５０ａ，５０ｂが構造上多少の差異があるだけである。即ち、その異なる点は、第１水路管１の側壁構造体５０ａ，５０ｂは底構造体１０に対して直降下型の垂直構造であるのに反し、第２水路管１００の側壁構造体１５０ａ，１５０ｂは底構造体１１０に対して傾斜構造を持つという点である。これは図１２に示すように、側壁構造体１５０ａを構成する壁構造体１５１が水平構造体１５３に対して傾斜をなしているからである。ここで、第２水路管１００の側壁構造体１５０ａ，１５０ｂは互いに対称になっている。
【００５７】
かくして、第２水路管１００の構造は、それを構成する側壁構造体１５０ａ，１５０ｂの構造が単に底構造体１１０に対して傾斜をなしている点を除いては、図１の第１水路管１の構造と同一である。言い換えれば、第２水路管１００を構成する底構造体１１０の構造は、第１水路管１を構成する底構造体１０の構造と同様にそれぞれの部分底構造体１０ａ〜１０ｃの構造と同一のそれぞれの部分底構造体１１０ａ〜１１０ｃの組立により完成し、さらに、第２水路管１００を構成する側壁構造体１５０ａ，１５０ｂの構造も、単に壁構造体１５１が水平構造体１５３に対して傾斜をなしている点を除いては、第１水路管１を構成する側壁構造体５０ａ，５０ｂの構造と同一である。
【００５８】
従って、図１０及び図１１の第２水路管１００を完成させる組立方法は、図１及び図２の第１水路管１を完成させる組立方法と同一であり、図１３のそれぞれの第２水路管１００，１００’の連設方法も、図７のそれぞれの第１水路管１，１’の連設方法と同一である。
【００５９】
なお、図に示してはいないが、第２水路管１００を構成する底構造体１１０は図８及び図９に示すように、突起部９１または有孔部９３を備えた新しい変形部分底構造体（図示せず）を含むことができ、前記変形底構造体を側壁構造体１５０ａ，１５０ｂと組み立て、新しい変形第２水路管（図示せず）を完成させることができる。前記変形第２水路管は第２水路管１００の組立方法と同一の組立方法により完成し、それぞれの変形第２水路管の連設方法もそれぞれの第２水路管（例えば、水路管１００に水路管１００’を連設する方法）の連設方法と同一である。
【００６０】
図１４は本発明の第３実施例に係る水路管を示す斜視図であり、図１５は図１４のＣ−Ｃ線断面図であり、図１６は本発明の第３実施例の水路管を構成する１つの側壁構造体の斜視図であり、図１７は本発明のそれぞれの第３実施例の水路管の連設状態を示す斜視図である。
【００６１】
図１４及び図１５に示すように、本発明の第３実施例の水路管（以下、「第３水路管」という）２００の構造は全般的に第１水路管１とほぼ同一である。即ち、第３水路管２００の構造は植生部２０３ａ，２０３ｂを除いては第１水路管１の構造と同一である。さらに説明すると、第３水路管２００の底構造体２１０の構造と、植生部２０３ａ，２０３ｂを除いた側壁構造体２５０ａ，２５０ｂの構造とは、第１水路管１の底構造体１０の構造と側壁構造体５０ａ，５０ｂの構造とそれぞれ同一である。また、第３水路管２００の底構造体２１０の構造は第２水路管１００の底構造体１１０の構造とも同一である。ここで、植生部２０３ａ，２０３ｂは完成済みの第３水路管２００の内側面を形成する壁構造体５１の端面に形成したほうが望ましく、図１４乃至図１７の植生部２０３ａ，２０３ｂ及び排水口２０５ａ，２０５ｂの個数は限定されるものではなく、一例を例示したもので、その個数は必要に応じて増減することができる。
【００６２】
従って、図１４及び図１５の第３水路管１００を完成させる組立方法は図１及び図２の第１水路管１を完成させる組立方法と同一であり、図１７のそれぞれの第２水路管２００，２００’の連設方法は図７のそれぞれの第１水路管１，１’の連設方法と同一である。
【００６３】
なお、図に示してはいないが、第３水路管２００を構成する底構造体２１０は、図８及び図９に示すように突起部９１または有孔部９３を備えた新しい変形部分底構造体（図示せず）を含むことができ、前記変形底構造体を側壁構造体２５０ａ，２５０ｂと組み立てて新しい変形第３水路管（図示せず）を完成させることができる。前記変形第３水路管は第３水路管２００の組立方法と同一の組立方法により完成し、それぞれの変形第３水路管の連設方法もそれぞれの第３水路管（例えば、水路管２００に水路管２００’を連設する方法）の連設方法と同一である。
【００６４】
このような第３水路管２００において、植生部２０３ａ，２０３ｂは植物（例えば、芝生）が自生できる場所として提供され、図１５に示すように植生部２０３ａ，２０３ｂは水を排水するための排水口２０５ａ，２０５ｂをそれぞれさらに備え、図１６に示すように排水口２０５ａ，２０５ｂは植生部２０３ａ，２０３ｂが取り付けられた端面（即ち、右側端面）からこれと対応する端面（即ち、左側端面）まで貫通して形成したほうが望ましく、側壁構造体２５０ａ，２５０ｂの長手方向に沿って帯状に形成したほうがさらに望ましい。
【００６５】
排水口２０５ａ，２０５ｂは側壁構造体２５０ａ，２５０ｂの背土に存在する水を排水する役割を果たす。さらに、植生部２０３ａ，２０３ｂは排水口２０５ａ，２０５ｂからの流入過剰水を排水しうる植生物用排水口（図示せず）をさらに含むことができ、なお、側壁構造体２５０ａ，２５０ｂの背土に存在する水が排水口２０５ａ，２０５ｂを通して排水されるので、側壁構造体２５０ａ，２５０ｂの背土を更に安定させることができる。
【００６６】
図１８乃至図２０は本発明の第１乃至第３水路管から派生された新しい水路管３００，４００，５００をそれぞれ示す図である。
【００６７】
図１８の水路管３００は、第１乃至第３水路管１，１００，２００が含む底構造体１０，１１０，２１０の構造と同一の底構造体３１０と、第１水路管１が含む１つの側壁構造体５０ｂと、第２水路管１００が含む１つの側壁構造体１５０ａとを組み立てて完成したものである。
【００６８】
図１９の水路管４００は、第１乃至第３水路管１，１００，２００が含む底構造体１０，１１０，２１０の構造と同一の底構造体４１０と、第１水路管１が含む１つの側壁構造体５０ｂと、第３水路管２００が含む１つの側壁構造体２５０ａとを組み立てて完成したものである。
【００６９】
図２０の水路管５００は、第１乃至第３水路管１，１００，２００が含む底構造体１０，１１０，２１０の構造と同一の底構造体５１０と、第２水路管１００が含む１つの側壁構造体１５０ｂと、第３水路管２００が含む１つの側壁構造体２５０ａとを組み立てて完成したものである。
【００７０】
このように、第１乃至第３水路管１，１００，２００から新しい水路管３００〜５００が派生できるのは、第１乃至第３水路管１，１００，２００が含む底構造体１０，１１０，２１０が同一であるからであり、さらに底構造体１０，１１０，２１０と組み立てられる各側壁構造体（５０ａ，５０ｂ）（１５０ａ，１５０ｂ）（２５０ａ，２５０ｂ）の部分の構造が同一であるからである。従って、施工者は第１乃至第３水路管１，１００，２００が含む底構造体１０，１１０，２１０と多様な形態の側壁構造体（５０ａ，５０ｂ）（１５０ａ，１５０ｂ）（２５０ａ，２５０ｂ）を用いて施工現場の条件に応じて適切に適用させることができる。
【００７１】
そして、第１乃至第３水路管及び前述した変形水路管を組立完成する底構造体と側壁構造体とのそれぞれの接合面には、エポキシ樹脂またはゴムパーキングあるいはコーキング材（ｃａｌｋｉｎｇ  ｍａｔｅｒｉａｌ）などを用いて水密性を保ったほうよい。なお、ボルトとナットが締結される部分などにもコーキング材などを使用すれば、さらに安定した水路管を提供することができる。
【００７２】
前述したように、本発明の水路管は組立可能になっているので、型枠の製作が容易であり、その製作コストも低価であり、しかも一時に大量に運送できるので物流費を低減することができ、且つ小型の建設機械でも十分に施工可能なので施工コストを低減することができる。特に本発明の水路管は底構造体の幅を任意に調整できるので大型水路管の製作に適し、しかもその施工方法も前述したように簡単であり、さらに底構造体に組み立てられる側壁構造体の構造が多様なので、施工現場の条件に応じて多様な施工が可能である。
【００７３】
また、本発明の水路管は組立で施工を行うため、破損部分のみを取り替える方式で水路管を補修できるので、その管理が容易であり、その管理コストも低減することができる一方、各種魚貝類などの生息及び繁殖を誘導し得る突起部及び植物が自生し得る植生部及び／又は有孔部を提供するので、自然に親しんでおり、さらにそれぞれの側壁構造体の一端面（即ち、外部に露出する端面）に自然に親しんだ模様（例えば、波模様）などを更に加えることができる。
【００７４】
また、本発明の水路管はそれぞれ連設されると共にそれぞれの側壁構造体が互いに重なるので、側圧（即ち、土圧）などの外圧に対する支持力が強い。特に本発明の組立式底水路管はさらにワイヤで結んで地盤沈下などの外圧に対する支持力も強いので、組み立てられた水路管の構造が非常に安定的である。
【００７５】
以上の説明では本発明を特定の実施例を中心として説明したが、特許請求の範囲に記載した技術思想から外れない限度内で前述したように色々な修正及び変更が可能なのは当該分野で通常の知識を有している者には明らかなことである。従って、本発明の詳細な説明及び添付図は本発明の技術思想を限定するものではなく、一例を例示したものであると解釈すべきである。
【００７６】
【発明の効果】
以上説明したように、本発明の水路管は組立可能なので、小型乃至大型の水路管の製作、運搬、そして施工が便利であり、施工現場の条件に応じて多様に適用でき、破損部分の補修などのような管理が便利である。また、各種魚貝類などの生息及び繁殖を誘導し得る突起部及び植物が自生し得る植生部及び／または有孔部を提供するので、自然に親しんでおり、さらに構造的安定性に優れている。なお、製作、運搬、そして施工で発生するコスト及び破損による補修などの管理コストを低減することができる。
【図面の簡単な説明】
【図１】  本発明の第１実施例に係る水路管を示す斜視図である。
【図２】  図１のＡ−Ａ線断面図である。
【図３】  本発明の第１実施例の水路管を構成する底構造体のうち第１部分底構造体の一部切欠斜視図である。
【図４】  底構造体のうち第２部分底構造体の斜視図である。
【図５】  底構造体のうち第３部分底構造体の一部切欠斜視図である。
【図６】  本発明の第１実施例の水路管を構成する１つの側壁構造体の斜視図である。
【図７】  それぞれの第１実施例の水路管の連設状態を示す斜視図である。
【図８】  図５の第３部分底構造体の１つの変形例の斜視図である。
【図９】  図５の第３部分底構造体の他の１つの変形例の斜視図である。
【図１０】  本発明の第２実施例に係る水路管を示す斜視図である。
【図１１】  図１０のＢ−Ｂ線断面図である。
【図１２】  本発明の第２実施例の水路管を構成する１つの側壁構造体の斜視図である。
【図１３】  本発明のそれぞれの第２実施例の水路管の連設状態を示す斜視図である。
【図１４】  本発明の第３実施例に係る水路管を示す斜視図である。
【図１５】  図１４のＣ−Ｃ線断面図である。
【図１６】  本発明の第３実施例に係る水路管を構成する１つの側壁構造体の斜視図である。
【図１７】  本発明のそれぞれの第３実施例の水路管の連設状態を示す斜視図である。
【図１８】  本発明の１つの変形水路管の断面図である。
【図１９】  本発明の他の１つの変形水路管の断面図である。
【図２０】  本発明のまた他の１つの変形水路管の断面図である。
【符号の説明】
１，１００，２００，３００，４００，５００  水路管
１０，１１０，２１０，３１０，４１０，５１０  底構造体
５０ａ，５０ｂ，１５０ａ，１５０ｂ，２５０ａ，２５０ｂ  側壁構造体
１１ａ〜１１ｃ  安置部
１３ａ，１３ｂ  結合溝
１５ａ〜１５ｄ  底構造体の結合孔
１７ａ，１７ｂ  連結溝
１９ａ〜１９ｆ  連結孔
２１ａ，２１ｂ  連結突出部
５１，１５１  壁構造体
５３，１５３  水平構造体
５５  補強用リブ
５９ａ，５９ｂ  端部
６０ａ，６０ｂ  階段部
６３ａ，６３ｂ  溝部
６５ａ，６５ｂ  側壁構造体の結合孔
６７  結合突出部
６９  運搬用リング
７０  ボルト
８０  ナット
９１  突起部
９３  有孔部
２０３ａ，２０３ｂ  植生部
２０５ａ，２０５ｂ  排水口
【図１】
0004141702.tif 000002
【図２】
0004141702.tif 000003
【図３】
0004141702.tif 000004
【図４】
0004141702.tif 000005
【図５】
0004141702.tif 000006
【図６】
0004141702.tif 000007
【図７】
0004141702.tif 000008
【図８】
0004141702.tif 000009
【図９】
0004141702.tif 000010
【図１０】
0004141702.tif 000011
【図１１】
0004141702.tif 000012
【図１２】
0004141702.tif 000013
【図１３】
0004141702.tif 000014
【図１４】
0004141702.tif 000015
【図１５】
0004141702.tif 000016
【図１６】
0004141702.tif 000017
【図１７】
0004141702.tif 000018
【図１８】
0004141702.tif 000019
【図１９】
0004141702.tif 000020
【図２０】
0004141702.tif 000021